【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
機構の作動に必要な、離脱可能でかつ交換可能なキーイングコンポーネントであって、
前記キーイングコンポーネントは、電磁波の導波管を備え、
前記導波管は電磁波の入口と電磁波の出口とを有し、
前記導波管は、前記入口から前記出口まで電磁波を透過させる経路となり、
前記導波管は、固有の未励起状態と励起状態とを有するフォトクロミック色素を含有するフォトクロミック部位を備え、
励起波長領域内の励起電磁波を放射すると、前記フォトクロミック色素が前記未励起状態から前記励起状態へと変化し、
前記フォトクロミック色素が前記未励起状態では、前記フォトクロミック部位は試験波長領域内の電磁波に対し固有の第１の透過特性を有し、
前記フォトクロミック色素が前記励起状態では、前記フォトクロミック部位は、試験波長領域内の電磁波に対し、前記第１の透過特性とは異なる第２の透過特性を有し、
前記キーイングコンポーネントは、前記導波管として機能するのに加え、前記機構を作動させるよう機能する
キーイングコンポーネント。
【請求項２】
前記フォトクロミック色素は、可逆性フォトクロミック色素及び不可逆性フォトクロミック色素からなる群から選択される、請求項１に記載のキーイングコンポーネント。
【請求項３】
前記フォトクロミック色素は、以下の性質からなる群から選択される１以上の性質を備えたフォトクロミック色素を２以上含む、請求項２に記載のキーイングコンポーネント：
（ａ）含まれる各フォトクロミック色素に対する励起波長領域は、含まれる他の各フォトクロミック色素に対する励起波長領域と同じ、又は異なる；
（ｂ）含まれる各フォトクロミック色素に対する試験波長領域は、含まれる他の各フォトクロミック色素に対する試験波長領域と同じ、又は異なる。
【請求項４】
前記フォトクロミック部位中の、含まれる各フォトクロミック色素の濃度は以下の性質からなる群から選択される１以上の性質を付与するために選択される、請求項３に記載のキーイングコンポーネント：
（ａ）含まれる各フォトクロミック色素を、前記未励起状態から前記励起状態へと変化させるのに必要な励起波長領域内の励起電磁波の線量は、含まれる他の各フォトクロミック色素を変化させるのに必要な励起波長領域内の励起電磁波の線量と同じ、又は異なる；
（ｂ）前記励起状態において前記フォトクロミック部位に含まれる各フォトクロミック色素が試験波長領域内の電磁波を吸収する能力は、前記励起状態において前記フォトクロミック部位に含まれる他の各フォトクロミック色素が試験波長領域内の電磁波を吸収する能力と同じ、又は異なる；
（ｃ）前記未励起状態において前記フォトクロミック部位に含まれる各フォトクロミック色素が試験波長領域内の電磁波を吸収する能力は、前記未励起状態において前記フォトクロミック部位に含まれる他の各フォトクロミック色素が試験波長領域内の電磁波を吸収する能力と同じ、又は異なる。
【請求項５】
前記フォトクロミック部位が可逆性フォトクロミック色素を含有している、請求項１に記載のキーイングコンポーネント。
【請求項６】
前記可逆性フォトクロミック色素は、
（ａ）前記導波管に最後に前記励起波長領域内の励起電磁波を照射してから復帰時間が経過した後、又は（ｂ）復帰波長領域内の復帰電磁波を照射した後、
のいずれかで、前記励起状態から前記未励起状態へと変化する、請求項５に記載のキーイングコンポーネント。
【請求項７】
前記コンポーネントは、２以上の前記導波管を備え、各導波管は、備えられている他の導波管と以下の１以上の性質に関し同一又は異なる、請求項１記載のキーイングコンポーネント：
（ａ）前記フォトクロミック色素；
（ｂ）含まれる各フォトクロミック色素の濃度；
（ｃ）前記入口から前記出口まで電磁波を透過させるための経路の長さ。
【請求項８】
導波管となることの他に前記キーイングコンポーネントが果たす機能は、前記導波管となる機能とは独立したものである、請求項１に記載のキーイングコンポーネント。
【請求項９】
請求項１に記載のキーイングコンポーネントであって、
物質を分配するための装置用の交換可能なコンポーネントを含み、
前記交換可能なコンポーネントは、下記からなる群から選択される、キーイングコンポーネント：
（ａ）前記物質を分配するための装置が、流動可能な物質用のディスペンサである場合は、
（ｉ）物質を移動させる可動エレメントを収容するためのチャンバを有する、ポンプ用のチャンバ形成体、
（ｉｉ）ポンプ用のチャンバ形成体のチャンバ内に収容される、物質を移動させる可動エレメント、
（ｉｉｉ）流体を移動させる回転可能なエレメントを収容するためのチャンバを有する、流体ロータリーポンプ用のチャンバ形成体、
（ｉｖ）ポンプインペラ、
（ｖ）ピストンエレメントを同軸方向に摺動可能に収容するためのチャンバを有する、流体ピストンポンプ用のピストンチャンバ形成体、
（ｖｉ）流体ピストンポンプ用のピストンエレメント、
（ｖｉｉ）分配される流動可能な物質を収容するためのリザーバ、
（ｖｉｉｉ）分配される流動可能な物質を収容するためのリザーバの出口の周囲に係合して、前記リザーバを、前記流動可能な物質を分配する管に固定するための接続カラー、
（ｉｘ）流体ディスペンサ用のポンプアセンブリ、及び
（ｘ）分配される物質を収容するリザーバを含むリザーバアセンブリ、ここで前記リザーバは、出口と、その出口を横断するバルブ機構とを有する、並びに
（ｂ）前記物質を分配するための装置が、ロール状に巻かれたシート状物質用のディスペンサである場合は、
（ｉ）分配される前記シート状物質が巻かれているロール、及び
（ｉｉ）分配される前記シート状物質が巻かれているロール上の係合部材であって、前記ロールと前記シート状物質用のディスペンサとを作動的に連結するための係合部材。
【請求項１０】
前記物質を分配するための装置と組み合わせた、請求項９に記載のキーイングコンポーネントであって、
前記キーイングコンポーネントは、同様のキーイングコンポーネントによって交換できるように前記装置と離脱可能に連結されており、
前記導波管の入口へと電磁波を入射させて、前記導波管を透過し前記導波管の出口から放出される電磁波を感知することにより、前記キーイングコンポーネントが前記フォトクロミック部位を有しているか否かを判定し、この判定ステップが、前記導波管が前記フォトクロミック部位を有する、又は有しない、のいずれを示すかに応じて前記ディスペンサの作動を制御する制御機構を含む、キーイングコンポーネント。
【請求項１１】
前記分配装置は、さらに
前記入口を介して前記導波管内へと電磁波を向ける電磁波エミッタと、
作動ユニットに担持されており、前記出口を介して前記導波管から放出される電磁波を感知する電磁波センサとを含み、
前記エミッタは、励起波長領域内の励起電磁波、及び試験波長領域内の電磁波を放射することができ、
前記センサは試験波長領域内の電磁波を感知することができ、
前記制御機構は、励起波長領域内の励起電磁波、及び試験波長領域内の電磁波の前記エミッタによる放射を選択的に制御する、
請求項１０に記載のキーイングコンポーネント。
【請求項１２】
前記制御機構は、前記センサによって感知された電磁波が、予め選択された１つ以上の電磁波プロファイルと適切に対応しているか否かに応じて前記分配装置の作動を制御する、請求項１１に記載のキーイングコンポーネント。
【請求項１３】
前記予め選択された１つ以上の電磁波プロファイルは、前記エミッタによって放射される電磁波に応じて前記制御機構により選択される、
請求項１２に記載のキーイングコンポーネント。
【請求項１４】
前記キーイングコンポーネントを離脱すると、前記導波管の一部が破壊され、前記入口から前記出口までの前記経路内における電磁波の透過特性が変化する、請求項１３に記載のキーイングコンポーネント。
【請求項１５】
前記導波管は易壊性部分を含み、
前記易壊性部分は前記経路の一部を含み、
前記易壊性部分は、破壊されると、前記センサによって感知された電磁波が前記予め選択された電磁波プロファイルと適切に対応しなくなるように、前記導波管の透過特性を変化させ、
前記分配装置から前記キーイングコンポーネントを離脱すると前記易壊性部分が破壊される、
請求項１３に記載のキーイングコンポーネント。